(57)【要約】      （修正有）【課題】肩腱板断裂患者の術後装具として、簡単な構成で、軽量で、水濡れ可能、コンパクト収納をも可能とした肩関節外転装具を提供する。【解決手段】軸方向に貫通孔１１を有する円筒形状のウレタン樹脂製の本体部１０と、その両端部が着脱自在の合成樹脂製の肩掛けベルト部材１２及び上腕部拘束ベルト部材１５とから成る。本体部１０の周側面長手方向に４つの挿通穴部１６を列設する。本体部１０の貫通孔１１に肩掛けベルト部材１２を挿通する。本体部１０の挿通穴部１６に上腕部拘束ベルト部材１５を挿通する。患者の手術後の肩部の下方脇下部に本体部１０を配置し、肩掛けベルト部材１２は他方の非治療肩部に掛け渡して肩関節を所定角度に維持する。上腕部拘束ベルト部材１５は上腕部の動きを制約できる。【選択図】図１
0003163864.tif 000002
【実用新案登録請求の範囲】
【請求項１】
略筒形状の本体部(10)と、この本体部(10)に設けられた肩掛けベルト部材(12)及び上腕部拘束ベルト部材(15)とからなり、
肩腱板断裂患者等の手術後の肩部の下方脇下部に前記本体部(10)を配置し、肩掛けベルト部材(12)は他方の非治療肩部に掛け渡すことにより、肩関節を所定角度に維持することができ、
上腕部拘束ベルト部材(15)は手術後肩部側の上腕部の動きを制約することができる肩関節外転装具。
【請求項２】
前記本体部(10)は軸方向に貫通孔(11)を有する円筒形状のものからなり、肩掛けベルト部材(12)及び上腕部拘束ベルト部材(15)はそれぞれその両端部が着脱自在のものからなり、
これら肩掛けベルト部材(12)及び上腕部拘束ベルト部材(15)のそれぞれを、前記本体部(10)の貫通孔(11)に挿通させて相互に連結できることを特徴とする請求項１に記載の肩関節外転装具。
【請求項３】
前記本体部(10)がウレタン樹脂等の弾力性と保形性を有する素材からなり、その周側面の長手方向には２以上の挿通穴部(16, 16, …)を列設し、これら挿通穴部(16, 16, …)の内の２つを選択して、これら２つの挿通穴部(16, 16)に上腕部拘束ベルト部材(15)を挿通することを特徴とする請求項２に記載の肩関節外転装具。
【考案の詳細な説明】
【技術分野】
【０００１】
本考案は、例えば肩腱板断裂患者の縫合手術後、肩関節の動きを抑制・制御するために使用する術後装具となる肩関節外転装具に関するものである。
【背景技術】
【０００２】
肩腱板損傷・断裂患者の場合、その腱板の縫合手術を行う必要があり、手術後には一定期間の安静とリハビリ等が必要となる。
その際に、肩関節を所定の状態に維持するための術後装具が必要となり、本考案はこの術後装具として極めて簡易な肩関節外転装具を提供するものである。
従来のこの種の装具としては、以下の特許文献に記載のものを挙げることができる。
【０００３】
この文献に記載の発明は、例えば、関節上腕の脱旧ならびに亜脱旧の治療、関節包内偏位の治療、術後の回旋筋腱板の修復、術後のバンカート法、および軟組織の挫傷ならびに修復のための肩吊り包帯に関するものである。
この肩吊り包帯には、装着者の胴に接する支持ピローと、装着者の腕を受け入れるポーチとが開示され、複数のストラップが、患者の非治療肩からピローとポーチとを吊るしている。ストラップのうち１つは、ピローが使用者に対して移動するのを防止して、装着者の腕を所望の外転角および外旋角で確実に維持するものである。
【先行技術文献】
【特許文献】
【０００４】
【特許文献１】特表２００７−５０５６５１号公報
【考案の概要】
【考案が解決しようとする課題】
【０００５】
上記従来の装具では、その構成が極めて複雑で、肩関節及び腕部を所定の角度で堅固に固定してしまうものである。
本考案においては、取り分け肩腱板断裂患者の術後装具として開発されたもので、その最低限の効果を有しつつ、即ち、肩関節の所定方向の動きを制御するという効果を有しつつ、より簡易な構成から成り、極めて軽量であって、患者がお風呂やシャワーを利用する際にも、この装具を装着したままの状態で利用可能となることをその第一の課題としている。
また、患者の体型や身長等に応じて、容易に装着状態を変更できること、不使用時には分解もでき、その収納体積をも小さくできることも本考案の課題となる。
更には、衛生面をも考慮に入れ、分解、洗浄等をも容易になすことができることもその課題となる。
【課題を解決するための手段】
【０００６】
上記課題を解決するために、本考案の第１のものは、略筒形状の本体部と、この本体部に設けられた肩掛けベルト部材及び上腕部拘束ベルト部材とからなり、肩腱板断裂患者等の手術後の肩部の下方脇下部に前記本体部を配置し、肩掛けベルト部材は他方の非治療肩部に掛け渡すことにより、肩関節を所定角度に維持することができ、上腕部拘束ベルト部材は手術後肩部側の上腕部の動きを制約することができる肩関節外転装具である。
【０００７】
本考案の第２のものは、上記第１の考案において、前記本体部は軸方向に貫通孔を有する円筒形状のものからなり、肩掛けベルト部材及び上腕部拘束ベルト部材はそれぞれその両端部が着脱自在のものからなり、これら肩掛けベルト部材及び上腕部拘束ベルト部材のそれぞれを、前記本体部の貫通孔に挿通させて相互に連結できることを特徴とする肩関節外転装具である。
【０００８】
本考案の第３のものは、上記第２の考案において、前記本体部がウレタン樹脂等の弾力性と保形性を有する素材からなり、その周側面の長手方向には２以上の挿通穴部を列設し、これら挿通穴部の内の２つを選択して、これら２つの挿通穴部に上腕部拘束ベルト部材を挿通することを特徴とする肩関節外転装具である。
【考案の効果】
【０００９】
本考案の第１のものにおいては、略筒形状の本体部と、この本体部に設けられた肩掛けベルト部材及び上腕部拘束ベルト部材とからなり、肩腱板断裂患者等の手術後の肩部の下方脇下部に前記本体部を配置し、肩掛けベルト部材は他方の非治療肩部に掛け渡すことにより、肩関節を体の側方側で所定角度分だけ上方に維持することができ、極めて簡易な構成によって術後装具を提供することができる。
また上腕部拘束ベルト部材は術後肩部側の上腕部の体の側方側における上方方向への動きを制約することができるものとなる。
【００１０】
本考案の第２のものにおいては、本体部として、軸方向に貫通孔を有する円筒形状のものを使用し、肩掛けベルト部材及び上腕部拘束ベルト部材はそれぞれその両端部が着脱自在のものからなるために、これら肩掛けベルト部材及び上腕部拘束ベルト部材のそれぞれを、上記本体部の貫通孔に挿通させて相互に連結できることとなる。
これにより、両ベルト部材を本体部と着脱自在とすることができ、不使用時にはこれらを分離して収納等することができる。
【００１１】
本考案の第３のものにおいては、本体部が、ウレタン樹脂等の弾力性と保形性を有する素材のものからなるために、上腕部の内側及び脇下部に配置して使用した際に、違和感が減少する。
上腕部拘束ベルト部材は、上記第２の考案と異なり、本体部の周側面の長手方向に２以上の挿通穴部を列設し、この内の２つの挿通穴部を選択して、上腕部拘束ベルト部材を挿通することができるため、使用者の上腕部の太さや姿勢等に適合するように、適宜位置の挿通穴部を選択して上腕部拘束ベルト部材を挿通させて使用することができる。
【００１２】
また、それぞれの構成部材は分解可能であり、構成部材の全てを分離して容易に洗浄、消毒及び収納することが可能となることは、上記考案と同じである。
更には、お風呂やシャワー利用時にも本考案に係る装具をそのまま装着した状態で利用することが可能となることも上記考案と同じである。
【図面の簡単な説明】
【００１３】
【図１】本考案の肩関節外転装具に係る一実施形態の全体斜視図である。
【図２】上記実施形態に係る肩関節外転装具の各構成部材を分離して図示した状態の説明図である。
【図３】上記実施形態に係る肩関節外転装具の使用状態の正面側からの説明図である。
【考案を実施するための形態】
【００１４】
以下、添付の図面と共に本考案の実施形態について説明する
図１は、本考案の肩関節外転装具に係る一実施形態の全体斜視図である。
本考案に係る肩関節外転装具は、本体部１０と、肩掛けベルト部材１２と、上腕部拘束ベルト部材１５とから構成されている。
【００１５】
本体部１０は、ウレタン樹脂製の円筒形状のものからなり、その軸方向（長手方向）には貫通孔１１が設けられている。
この貫通孔１１には、肩掛けベルト部材１２が挿通されることとなる。
本体部１０の周側面の長手方向には、この実施形態では、４つの挿通穴部１６、１６、…を列設している。
【００１６】
これらの挿通穴部１６の内の適宜２つを選択して、上腕部拘束ベルト部材１５を挿通して使用することとなる。
このように、本考案は、本体部１０、肩掛けベルト部材１２、上腕部拘束ベルト部材１５とからなり、これらをそれぞれ結合して肩関節外転装具として使用することができ、且つ分離して、適宜収納することができるものである。
【００１７】
図２は、前記各構成部材を分離して図示した状態の説明図である。
本体部１０は、その長手方向長さが約３５ｃｍ程度、その外径が約１６ｃｍ程度、その内径が約８ｃｍ程度の円筒形状のウレタン樹脂製のものから形成されている。
また、この本体部１０の周側面の長手方向には、挿通穴部１６を複数列設しており、この実施形態ではその長手方向に４つ設けている。
この挿通穴部１６は、最低２つあればよく、後に説明する上腕部拘束ベルト部材１５を挿通させるためのものである。
【００１８】
肩掛けベルト部材１２は、軟質合成樹脂製の横幅が約４ｃｍ程度のもので、その両端部に係合雄部１３と係合雌部１４とが設けられており、これらは相互にワンタッチ式に係合・離脱できる合成樹脂製バックルからなる。
更にこの肩掛けベルト部材１２の適宜位置には、この肩掛けベルト部材１２を本体部１０の貫通孔１１に挿通した際に、このベルト部材１２が貫通孔１１内部で移動しないように、固定部材１８が設けられている。
【００１９】
この固定部材１８の素材は、前記肩掛けベルト部材１２と同様のベルト部材を用い、その中間部を肩掛けベルト部材１２に接合し、その両端部には留めホック１８ｈ、１８ｉを設けたものから構成されている。
これによって、肩掛けベルト部材１２を本体部１０の貫通孔１１内に挿通して、この固定部材１８を前記貫通孔１１の両端開口部から外側に回して相互にその端部の止めホック１８ｈ、１８ｉを係止することによって、肩掛けベルト部材１２が本体部１０に取り付けられることとなる。
【００２０】
上腕部拘束ベルト部材１５は、その構成を、上記肩掛けベルト部材１２とほぼ同一の軟質合成樹脂製のものからなるが、上記固定部材１８は設けておらず、その長さも短いものからなり、両端部にそれぞれ係合雄部１３と係合雌部１４とが設けられた単なるベルト状の部材からなるものである。
この上腕部拘束ベルト部材１５を本体部１０に列設された挿通穴部１６の内の２つを選択して、これら２つの挿通穴部１６、１６に挿通して、使用者の上腕部に巻回して両端部の係合雄部１３と係合雌部１４を相互に係合して使用するものである。
上記構成部材を適宜結合し、組み合わせることにより、図１に図示した状態となる。
【００２１】
図３は、上記実施形態に係る肩関節外転装具の使用状態の正面側からの説明図である。
図１に図示した通りに結合され、組み立てられると、手術が行われた肩関節の下方から脇の下へと上方に向かって、肩掛けベルト部材１２を把持し、本体部１０を脇の下部へ移行させて行く。
その際に手及び腕部を上腕部拘束ベルト部材１５と本体部１０との間に挿通させる。
肩掛けベルト部材１２を頭部の上方を通過させて他方の非治療肩部に掛止させる。
尚、上腕部拘束ベルト部材１５の両端部の係合は、上腕部拘束ベルト部材１５の両端部の係合を解除した状態で本体部１０を脇下部に配置した後に、行ってもよい。
以上により、本考案に係る肩関節外転装具が装着される。
【００２２】
以上、本考案の一実施形態について説明したが、本考案においては以下の通り種々設計変更が可能である。
先ず、本考案においては、そのサイズは自由に設計変更可能である。
またその素材についても、ウレタン樹脂、ポリウレタン、ウレタンフォーム等々、適宜保形性と弾力性を有するものであれば自由に選択して使用することができる。
但し、装着したままお風呂やシャワー利用を可能とするために、重量や衛生面をも考慮に入れてその素材を選択することが望ましい。
【００２３】
本体部の形状も、上記実施形態のように円筒形状でなくとも実施可能であり、その軸方向に貫通孔が無い、中実のものを使用することもできる。この場合には、本体部の両端面に肩掛けベルト部材及び上腕部拘束ベルト部材の両ベルト部材を固定すればよい。
本体部の筒状体の断面形状も円形でなく、楕円形、矩形、多角形等々、種々の形状に設計変更することができる。
【００２４】
上腕部拘束ベルト部材を挿通するための、本体部の周側面に列設した挿通穴部の数は、２つ以上あればよく、上記の実施形態のように必ずしも４つでなくともよい。
上腕部拘束ベルト部材は、請求項２に特定した通り、本体部に挿通穴部を設けない場合には、本体部の長手方向の貫通孔に挿通させて両端部を係合するようにして、構成することもできる。
この場合には、この上腕部拘束ベルト部材にも、肩掛けベルト部材に設けた固定部材を設けることが好ましい。
【００２５】
両ベルト部材には、その両端部に合成樹脂製のワンタッチ式バックルを使用したが、この係止部材も自由に選択することができる。要は着脱可能に係止できるものであればよい。
上記実施形態では、これら係止部材の連結部でベルト部材の長さ調整を行っているが、両ベルト部材の中間部に長さ調節部材を設けることも可能である。
以上、本考案は、簡易な構成にして、その重量も極めて軽量なものとし、そのままお風呂やシャワー等も利用可能で、洗浄等をも可能とした極めて著大な効果を発揮する肩腱板断裂患者の術後用装具を提供することができた。
【符号の説明】
【００２６】
１０  本体部
１１  貫通孔
１２  肩掛けベルト部材
１３  係合雄部
１４  係合雌部
１５  上腕部拘束ベルト部材
１６  挿通穴部
１８  固定部材
【図１】
0003163864.tif 000003
【図２】
0003163864.tif 000004
【図３】
0003163864.tif 000005